(57)【特許請求の範囲】
【請求項１】
遮断周波数が可変で、入力信号の低周波数域を通過させる低域通過濾波器と、
遮断周波数が可変で、入力信号の高周波数域を通過させる高域通過濾波器と、前記低域通過濾波器より出力される信号と前記高域通過濾波器より出力される信号とを合成比率を変化させて合成する第１の合成器と、
入力信号と前記第１の合成器より出力される信号とを合成比率を変化させて合成する第２の合成器と、
を備えたことを特徴とするラウドネス装置。
【請求項２】
前記第２の合成器をスライド抵抗器で構成し、該スライド抵抗器の両端に前記入力信号および前記第１の合成器よりの出力信号を接続し、該スライド抵抗器のスライド端子より合成信号を出力するようにしたことを特徴とする請求項１記載のラウドネス装置。
【請求項３】
前記第１の合成器を、前記低域濾波器の出力と接続された固定抵抗と、前記高域濾波器の出力と接続された可変抵抗と、前記固定抵抗および前記可変抵抗の出力を前記固定抵抗の抵抗値に等しい抵抗によって出力信号が入力に帰還される増幅器とで構成されることを特徴とする請求項１または２記載のラウドネス装置。
【発明の詳細な説明】
【０００１】
【発明の属する技術分野】
本発明はオーディオ信号処理系に用いられるラウドネス装置に関する。
【０００２】
【従来の技術】
従来のラウドネス装置は、図４に示されるように、入力に対して容量５０および５１の直列回路が並列に、また入力に対して可変抵抗器５２が平行に接続され、容量５０と５１との接続点と可変抵抗器５２の抵抗値の中点とを接続し、可変抵抗器５２のスライド片より出力を得る構成となっていた。
【０００３】
図５は図４で説明したラウドネス装置の可変抵抗器５２のスライド片を移動した場合の特性を示している。
図５のＡで示す特性はスライド片を入力端子側に最大に移動した場合であり、この場合は入力信号がそのまま出力される。
スライド片を接地側に移動すると、図５のＢに示されるように、低域および高域も減衰するが、それ以上に中域の減衰が大となる。
さらにスライド片を接地側に移動すると、図５のＣおよびＤに示されるように、低域および高域の減衰に比べて中域の減衰が大となる。
【０００４】
【発明が解決しようとする課題】
従来のラウドネス装置は、図５で説明したように、中域の減衰量が設定されると低域および高域の特性は一意的に決まっていた。
したがって、使用者は、使用者の最も好むラウドネス特性に調整することができなかった。
【０００５】
本発明はオーディオ信号の中域周波数帯の減衰量、低域通過周波数帯の遮断周波数、高域通過周波数帯の遮断周波数、および高域通過周波数帯の減衰量を可変できるようにしたラウドネス装置を提供する。
【０００６】
【課題を解決するための手段】
前述の課題を解決するために、請求項１の発明においては、遮断周波数が可変で、入力信号の低周波数域を通過させる低域通過濾波器と、
遮断周波数が可変で、入力信号の高周波数域を通過させる高域通過濾波器と、前記低域通過濾波器より出力される信号と前記高域通過濾波器より出力される信号とを合成比率を変化させて合成する第１の合成器と、
入力信号と前記第１の合成器より出力される信号とを合成比率を変化させて合成する第２の合成器と、
を備える。
遮断周波数を可変することができる低域通過濾波器および高域通過濾波器によって通過された入力信号を合成比率を変化させて第１の合成器より出力させ、入力信号と第１の合成器よりの出力信号を合成比率を変化させて第２の合成器より出力させるようにしたので、オーディオ信号の中域周波数帯の減衰量、低域通過周波数帯の遮断周波数、高域通過周波数帯の遮断周波数、および高域通過周波数帯の減衰量を容易に可変することができる。
【０００７】
請求項２の発明においては、前記第２の合成器をスライド抵抗器で構成し、該スライド抵抗器の両端に前記入力信号および前記第１の合成器よりの出力信号を接続し、該スライド抵抗器のスライド端子より合成信号を出力する。
第２の合成をスライド抵抗器で構成し、スライド抵抗器の両端に入力信号および低域および高域通過濾波器より出力された信号を接続し、スライド端子より合成信号を出力するようにしたので、スライド端子のスライド位置を変更することによって中域周波数帯の減衰量を容易に変更することができる。
【０００８】
また請求項３の発明においては、前記第１の合成器を、前記低域濾波器の出力と接続された固定抵抗と、前記高域濾波器の出力と接続された可変抵抗と、前記固定抵抗および前記可変抵抗の出力を前記固定抵抗の抵抗値に等しい抵抗によって出力信号が入力に帰還される増幅器とで構成する。
低域通過濾波器出力を固定抵抗を介して、また高域通過濾波器出力を可変抵抗を介してオペアンプに接続し、該オペアンプの出力を前記固定抵抗の抵抗値と等しい抵抗によって入力に帰還するようにしたので、可変抵抗の抵抗値を変化させることによって高域通過周波数帯の減衰量を容易に変化させることができる。
【０００９】
【発明の実施の形態】
本発明の一実施の形態を図１および図２を参照して説明する。図１は本発明の実施例の構成図、図２は図１のフィルタブロックの具体例である。
図１において、１はバッファ増幅器、２はフィルタブロック、３は入力信号とフィルタブロック出力を合成する第２の合成器、４はバッファ増幅器である。
【００１０】
第２の合成器３はスライド抵抗で構成され、スライド抵抗の両端に入力信号（Ｖｉ）およびフィルタブロック２より出力される出力信号（Ｆ（ｓ）Ｖｉ）が接続され、スライド抵抗のスライド端子より出力される信号がバッファ増幅器４に接続される。
【００１１】
フィルタブロック２は、図２に示されるように、低域通過濾波器１０、高域通過濾波器２０および第１の合成器３０で構成される。
低域通過濾波器１０はオペアンプ１１に抵抗Ｒ１  を介して入力信号を入力させ、オペアンプ１１の出力を抵抗Ｒ１  および容量Ｃ１  の並列回路を介して入力に帰還している。したがって、抵抗Ｒ１  および容量Ｃ１  を時定数とする１次の低域フィルタが構成される。
【００１２】
低域通過濾波器１０の遮断周波数は容量Ｃ１  の容量値を変化させ変更している。
高域通過濾波器２０はオペアンプ２１に容量Ｃ２  を介して入力信号を入力させ、オペアンプ２１の出力を抵抗Ｒ２  および容量Ｃ２  の並列回路を介して入力に帰還している。したがって、抵抗Ｒ２  および容量Ｃ２  を時定数とする１次の高域フィルタが構成される。
高域通過濾波器２０の遮断周波数は抵抗Ｒ２  の抵抗値を変化させて変更している。
【００１３】
第１の合成器３０は、オペアンプ３１に低域通過濾波器１０の出力を抵抗Ｒ３  を介して、また高域通過濾波器２０の出力を可変抵抗Ｒ４  を介して入力させ、オペアンプ３１の出力を抵抗Ｒ３  を介して入力に帰還している。
したがって、図３のＡで示す低域通過周波数帯の変更は低域通過濾波器１０の容量Ｃ１  の容量値を変更することにより、Ｂで示す高域通過周波数帯の変更は高域通過周波数２０の抵抗Ｒ２  の抵抗値を変更することにより、Ｃで示す高域通過周波数帯の減衰量の変更は第１の合成器３０の抵抗Ｒ４  の抵抗値を変更することにより、また、Ｄで示す中域周波数帯の減衰量の変更は第２の合成器３のスライド端子のスライド位置（γ／Ｒ）を変更することにより変更することができる。
【００１４】
【発明の効果】
以上説明したように、本発明によれば次の効果が得られる。
遮断周波数を可変することができる低域通過濾波器および高域通過濾波器によって通過された入力信号を合成比率を変化させて第１の合成器より出力させ、入力信号と第１の合成器よりの出力信号を合成比率を変化させて第２の合成器より出力させるようにしたので、オーディオ信号の中域周波数帯の減衰量、低域通過周波数帯の遮断周波数、高域通過周波数帯の遮断周波数、および高域通過周波数帯の減衰量を容易に可変することができる。
【００１５】
第２の合成をスライド抵抗器で構成し、スライド抵抗器の両端に入力信号および低域および高域通過濾波器より出力された信号を接続し、スライド端子より合成信号を出力するようにしたので、スライド端子のスライド位置を変更することによって中域周波数帯の減衰量を容易に変更することができる。
【００１６】
また低域通過濾波器出力を固定抵抗を介して、また高域通過濾波器出力を可変抵抗を介してオペアンプに接続し、該オペアンプの出力を前記固定抵抗の抵抗値と等しい抵抗によって入力に帰還するようにしたので、可変抵抗の抵抗値を変化させることによって高域通過周波数帯の減衰量を容易に変化させることができる。
【図面の簡単な説明】
【図１】本発明の実施例の構成図である。
【図２】同実施例のフィルタブロックの具体例である。
【図３】同実施例の動作を説明するための図である。
【図４】従来例の説明図である。
【図５】従来例の特性を説明するための図である。
【符号の説明】
１，４            バッファ増幅器
２                フィルタブロック
３                第２の合成器
１０              低域通過濾波器
２０              高域通過濾波器
３０              第１の合成器
１１，２１，３１  オペアンプ
Ｒ１  ，Ｒ３          抵抗
Ｒ２  ，Ｒ４          可変抵抗
Ｃ１                可変容量
Ｃ２                容量
【図１】
0003543929.tif 000002
【図２】
0003543929.tif 000003
【図３】
0003543929.tif 000004
【図４】
0003543929.tif 000005
【図５】
0003543929.tif 000006